(57)【要約】【課題】フィルタープレートにおけるウエルの底部に備えたフィルターの下面に夾雑物が残留することがないようにすると共に、夾雑物の吸引排出工程終了時において夾雑物の一部が跳ね上がらないようにする。【解決手段】洗浄ボックス１は、周壁２の一部に、夾雑物を外部に吸引排出する吸引口３を設け、上部開口４にフィルタープレート５を載受するようにする。該洗浄ボックス１の内部に、グラスウール又はロックウール等からなる繊維フィルター８を充填する。【選択図】図１
0003136961.tif 000002
【実用新案登録請求の範囲】
【請求項１】
周壁の一部に、夾雑物を外部に吸引排出する吸引口を設け、上部開口にフィルタープレートを載受するようになした洗浄ボックスにおいて、内部にグラスウール又はロックウール等からなる繊維フィルターを充填したことを特徴とするビーズによる多検体精製法において用いる洗浄ボックス。
【考案の詳細な説明】
【技術分野】
【０００１】
本考案は、ビーズによる多検体精製法において用いる洗浄ボックスに関するものである。
【背景技術】
【０００２】
従来、化学や生化学の分野において、ガラス、プラスチック、糖重合体などのビーズを用いた精製法が用いられている。例えば、化学の分野では、固相法ペプチド合成法が代表例であり、生化学の分野ではビーズによるタンパク質、多糖体の精製が挙げられる。
【０００３】
この内、血液等の生体由来混合物中に含まれる糖鎖を精製する方法は、図３に示す工程をもって行われている。該工程は、先ず、図３（１）に示す如く、糖鎖Ａ′の他に脂質、タンパク質、遺伝子等の夾雑物が混合した生体由来混合物Ａを、糖鎖を捕捉する官能基ｂ、ｂ、ｂ、ｂを有する糖鎖捕捉ビーズＢに接触させ、所定の処理を加えて該糖鎖捕捉ビーズＢの官能基ｂ、ｂ、ｂ、ｂに糖鎖Ａ′を捕捉させる。次に、図３（２）に示す如く、フィルタープレートにおけるウエルにこれら生体由来混合物Ａと糖鎖捕捉ビーズＢとの混合物を注入し、該フィルタープレートを洗浄ボックスの上部開口に載受させた状態で洗浄を行う。これにより、脂質、タンパク質、遺伝子等の夾雑物が除去される。次に、図３（３）に示す如く、フィルタープレートを洗浄ボックスから分離ボックスに移し、糖鎖Ａ′を糖鎖捕捉ビーズＢの官能基ｂから遊離、ラベル化させ、最後に、図３（４）に示す如く各糖鎖に分離させるものである。
【０００４】
ところで、上記工程中における図３（２）に示す洗浄工程において用いられる洗浄ボックスは、図２に示す通りであり、該洗浄ボックス１００は、周壁１０１の一部に、夾雑物を外部に吸引排出する吸引口１０２を設け、上部開口１０３にフィルタープレート１０４を載受するようになしたものである。また、１０５、１０５、１０５・・・は夫々底部にフィルター１０５′、１０５′、１０５′・・・が備えられたフィルタープレート１０４のウエルである。
【０００５】
該洗浄ボックス１００は、洗浄液（図示せず。）をフィルタープレート１０４の各ウエル１０５、１０５、１０５・・・に注入し、フィルター１０５′、１０５′、１０５′・・・を通過して落下した脂質、タンパク質、遺伝子等の夾雑物を吸引口１０２から吸引排出するものである。
【０００６】
しかし、斯かる従来の洗浄ボックス１００の場合には、いくつかの問題点がある。第１の問題点は、フィルター１０５′、１０５′、１０５′・・・を通過した夾雑物を受けて排出するためだけの機能しかなく、フィルター１０５′、１０５′、１０５′・・・の下面に付着残留した夾雑物を除去する機能がないため、フィルタープレート１０４を次の工程のために移動させるとき、該夾雑物が滴となって垂れ落ち、机上や床面を汚すことになると共に、次の工程において糖鎖を精製するときに、残った夾雑物が糖鎖に混入することになることである。
【０００７】
また、第２の問題点は、夾雑物を吸引排出後フィルタープレート１０４を次の工程のために取り外すときに起きる。即ち、洗浄ボックス内が負気圧状態になっているために、フィルタープレート１０４を容易に取り外すために、吸引口先で大気圧にする弁（図示せず。）が開放される。空気が逆流して吸引口付近及び内部に残った夾雑物の一部が跳ね上がり、フィルター１０５′、１０５′、１０５′・・・の下面に付着することである。
【考案の開示】
【考案が解決しようとする課題】
【０００８】
本考案は上記の点に鑑みなされたものであって、内部にグラスウール又はロックウール等からなる繊維フィルターを充填することにあり、フィルタープレートにおけるウエル内部に備えたフィルターの下面に夾雑物が残留することがなく、且つまた次のフィルタープレートをセットしてから夾雑物を吸引排出するとき、従来の如く夾雑物の一部が跳ね上がらないようにすることができるビーズによる多検体精製法において用いる洗浄ボックスを提供しようとするものである。
【課題を解決するための手段】
【０００９】
而して、本考案の要旨とするところは、周壁の一部に、夾雑物を外部に吸引排出する吸引口を設け、上部開口にフィルタープレートを載受するようになした洗浄ボックスにおいて、内部にグラスウール又はロックウール等からなる繊維フィルターを充填したことを特徴とするビーズによる多検体精製法において用いる洗浄ボックスにある。
【考案の効果】
【００１０】
本考案は上記の如き構成であり、内部にグラスウール又はロックウール等からなる繊維フィルターを充填したものであるから、フィルタープレートの各ウエルのフィルターを通過した夾雑物は、吸引装置（図示せず。）による吸引と併せて該グラスウール又はロックウール等からなる繊維フィルターの吸い取り作用によって吸い出され、もってフィルターの下面に夾雑物が残留することがないものである。したがって、フィルタープレートを次の工程のために移動させるとき、従来の如くフィルターに残留した夾雑物の落下によって机上や床面を汚すことがなく、また次の工程において糖鎖を精製するときに、従来の如く残った夾雑物が糖鎖に混入することがないものである。
【００１１】
また、次のフィルタープレートをセットしてから夾雑物を吸引排出するとき、洗浄ボックスの内部には、底面から開口部にかけてグラスウール又はロックウール等からなる繊維フィルターが充満した状態に詰められているから、従来の如く夾雑物の吸引時においてその残留した一部が跳ね上がることを防ぐことができるものである。
【考案を実施するための最良の形態】
【００１２】
本考案を実施するための最良の形態は、洗浄ボックスの内部にグラスウール又はロックウール等からなる繊維フィルターを充填することにある。
【実施例】
【００１３】
以下、本考案の実施例について説明する。
図１は本考案の実施例に係る洗浄ボックスの中央縦断側面図である。
【００１４】
図中、１は洗浄ボックスである。また、該洗浄ボックス１は、周壁２の一部に、夾雑物を外部に吸引排出する吸引口３を設け、上部開口４にフィルタープレートを載受するようになしたものである。尚、前記吸引口３は図示しないポンプ等の吸引装置に接続されている。また、５はフィルタープレートであり、多数のウエル６、６、６・・・が所定の間隔で設けられている。そしてまた、夫々のウエル６、６、６・・・にはその底部にフィルター７、７、７・・・が備えられている。
【００１５】
以上の構成は前記従来の洗浄ボックスと同様である。而して、本考案において特徴とするところは、洗浄ボックス１の内部にグラスウール又はロックウール等からなる繊維フィルター８を充填したことにある。
【００１６】
本考案は上記の如く洗浄ボックス１の内部にグラスウール又はロックウール等からなる繊維フィルター８を充填したものであるから、フィルタープレート５の各ウエル６、６、６・・・のフィルター７、７、７・・・を通過した夾雑物は、吸引装置（図示せず。）による吸引と併せて該グラスウール又はロックウール等からなる繊維フィルター８の吸い取り作用によって吸い出され、もってフィルター７、７、７・・・の下面に夾雑物が残留することがないものである。したがって、フィルタープレート５を次の工程のために移動させるとき、従来の如くフィルターに残留した夾雑物の落下によって机上や床面を汚すことがなく、また次の工程において糖鎖を精製するときに、従来の如く残った夾雑物が糖鎖に混入することがないものである。
【００１７】
また、次のフィルタープレート５をセットしてから夾雑物を吸引排出するとき、洗浄ボックス１の内部には、底面から開口部にかけてグラスウール又はロックウール等からなる繊維フィルター８が充満した状態に詰められているから、従来の如く夾雑物の吸引工程終了時においてその残留した夾雑物の一部が跳ね上がることを防ぐことができるものである。
【図面の簡単な説明】
【００１８】
【図１】本考案の実施例に係る洗浄ボックスの中央縦断側面図である。
【図２】従来の洗浄ボックスの中央縦断側面図である。
【図３】生体由来混合物の糖鎖精製法の説明図である。
【符号の説明】
【００１９】
１  洗浄ボックス
２  周壁
３  吸引口
４  上部開口
５  フィルタープレート
６、６  ウエル
７、７  フィルター
８  繊維フィルター
【図１】
0003136961.tif 000003
【図２】
0003136961.tif 000004
【図３】
0003136961.tif 000005
【手続補正書】
【提出日】平成19年9月20日(2007.9.20)
【手続補正１】
【補正対象書類名】明細書
【補正対象項目名】０００８
【補正方法】変更
【補正の内容】
【０００８】
本考案は上記の点に鑑みなされたものであって、内部にグラスウール又はロックウール等からなる繊維フィルターを充填することにあり、フィルタープレートにおけるウエル内部に備えたフィルターの下面に夾雑物が残留することがなく、且つまた次の工程のためにフィルタープレートを洗浄ボックスから外すとき、洗浄ボックス内を負気圧状態から大気圧に戻すが、そのときに従来の如く残留した夾雑物の一部が跳ね上がらないようにすることができるビーズによる多検体精製法において用いる洗浄ボックスを提供しようとするものである。
【手続補正２】
【補正対象書類名】明細書
【補正対象項目名】００１１
【補正方法】変更
【補正の内容】
【００１１】
また、次の工程のためにフィルタープレートを洗浄ボックスから外すとき、洗浄ボックス内を負気圧状態から大気圧に戻すが、そのときに本考案では洗浄ボックスの内部には、底面から開口部にかけてグラスウール又はロックウール等からなる繊維フィルターが充満した状態に詰められているから、従来の如く残留した夾雑物の一部が跳ね上がることを防ぐことができるものである。
【手続補正３】
【補正対象書類名】明細書
【補正対象項目名】００１７
【補正方法】変更
【補正の内容】
【００１７】
また、次の工程のためにフィルタープレート５を洗浄ボックス１から外すとき、洗浄ボックス１の内部を負気圧状態から大気圧に戻すが、そのときに本考案では洗浄ボックス１の内部には、底面から開口部にかけてグラスウール又はロックウール等からなる繊維フィルター８が充満した状態に詰められているから、従来の如く残留した夾雑物の一部が跳ね上がることを防ぐことができるものである。